(57)【要約】【課題】切断後の心棒を、逆流を防止して収容ケースに収容することができる電動リベッターを提供すること。【解決手段】電動リベッター１は、リベット本体の中心穴に心棒８２が挿入された状態のリベットを、互いに重なる複数の対象物の貫通穴に打ち付けるよう構成されている。電動リベッター１は、本体部２と、本体部２に対して回転可能に配設され、挿入穴４１にリベット８を引き込んで心棒８２を切断する主軸４と、主軸４よりも下方に設けられ、切断された心棒８２を収容する収容ケース５とを備えている。本体部２には、切断された心棒８２を、挿入穴４１から収容ケース５内へ導くスリット４２が形成されている。収容ケース５内には、切断された心棒８２が、スリット４２へ逆流しないようにする邪魔板５１が設けられている。【選択図】図４
2014030834.tif 000002
【特許請求の範囲】
【請求項１】
フランジを有するリング形状のリベット本体の中心穴に、頭部を有する心棒が挿入された状態のリベットを、互いに重なる複数の対象物の貫通穴に打ち付けるよう構成された電動リベッターであって、
電動モーターが配置された本体部と、
該本体部に対して回転可能に配設され、上記リベットにおける上記心棒が挿入される挿入穴を有し、上記電動モーターによる回転を受けて上記挿入穴に上記リベットを引き込んで上記心棒を切断するための主軸と、
該主軸よりも下方に設けられ、切断された上記心棒を収容する収容ケースと、を備えており、
上記本体部には、上記切断された心棒を上記挿入穴から上記収容ケース内へ導くスリットが形成されており、
上記収容ケース内には、上記切断された心棒が、上記スリットへ逆流しないようにする邪魔板が設けられていることを特徴とする電動リベッター。
【請求項２】
請求項１に記載の電動リベッターにおいて、上記収容ケース内には、上記邪魔板の配置によって、上記スリットに連通される排出通路と、該排出通路よりも容積が拡大した収容部とが形成されており、
上記排出通路には、上記スリットから上記収容部への上記心棒の降下を可能にする一方、上記収容部から上記スリットへの上記心棒の逆流を不能にする逆流防止弁が設けられていることを特徴とする電動リベッター。
【請求項３】
請求項１又は２に記載の電動リベッターにおいて、上記収容ケースは、上記切断された心棒を外部へ廃棄するために、上記本体部に対して着脱可能であることを特徴とする電動リベッター。
【発明の詳細な説明】
【技術分野】
【０００１】
本発明は、リベットを打ち付ける電動リベッターに関する。
【背景技術】
【０００２】
工場内において部品の組付を行う作業工程においては、鋼板同士の接合を行うために、フランジを有するリング形状のリベット本体の中心穴に、頭部を有する心棒が挿入された状態のリベットが利用されている。また、心棒は、その頭部がフランジと反対側に配置された状態で、リベット本体の中心穴に挿入されている。そして、リベット本体を、複数の鋼板に連続して形成されたリベット用穴に挿入し、心棒を頭部と反対側へ引っ張る。このとき、頭部によってリベット本体が押し潰されるように拡径して、この拡径部分とフランジとの間に複数の鋼板が挟み込まれると同時に、心棒が切断される。このリベットは、空気圧式又は電動式のリベッターを用いて、複数の鋼板に打ち付けられる。
【０００３】
例えば、特許文献１においては、排出開口を有するリベット収集隔室が設けられたリベット装置が記載されている。このリベット装置においては、カバーによって、リベット収集隔室の排出開口を閉じることができる。そして、リベットによる打付けが終わった後のリベットピンがリベット収集隔室内に収容される。このリベット装置は、電力供給ユニットを備えており、電気モーターによって伝動装置及びクランク機構を駆動して動作する。
【先行技術文献】
【特許文献】
【０００４】
【特許文献１】特開平１１−２９０９８３号公報
【発明の概要】
【発明が解決しようとする課題】
【０００５】
しかしながら、リベット装置（リベッター）を操作する作業者は、リベットを打ち付ける箇所に応じて、リベット装置を種々の向きにすることがある。この際、リベット収集隔室内に収容された切断後の心棒が、リベット装置の本体内へ逆流するおそれがある。
【０００６】
本発明は、かかる背景に鑑みてなされたもので、切断後の心棒を、逆流を防止して収容ケースに収容することができる電動リベッターを提供しようとして得られたものである。
【課題を解決するための手段】
【０００７】
本発明の一態様は、フランジを有するリング形状のリベット本体の中心穴に、頭部を有する心棒が挿入された状態のリベットを、互いに重なる複数の対象物の貫通穴に打ち付けるよう構成された電動リベッターであって、
電動モーターが配置された本体部と、
該本体部に対して回転可能に配設され、上記リベットにおける上記心棒が挿入される挿入穴を有し、上記電動モーターによる回転を受けて上記挿入穴に上記リベットを引き込んで上記心棒を切断するための主軸と、
該主軸よりも下方に設けられ、切断された上記心棒を収容する収容ケースと、を備えており、
上記本体部には、上記切断された心棒を上記挿入穴から上記収容ケース内へ導くスリットが形成されており、
上記収容ケース内には、上記切断された心棒が、上記スリットへ逆流しないようにする邪魔板が設けられていることを特徴とする電動リベッターにある（請求項１）。
【発明の効果】
【０００８】
上記電動リベッターは、切断された心棒を収容ケース内に収容するよう構成されており、収容ケース内に入った心棒が主軸側へ逆流しない工夫をしている。
具体的には、本体部には、切断された心棒を挿入穴から収容ケース内へ導くスリットが形成されている。これにより、リベットを対象物に打ち付けたときには、切断された心棒がスリットから収容ケース内に落下する。そして、切断された心棒を収容ケース内に保持することができる。
【０００９】
また、収容ケース内には、切断された心棒がスリットへ逆流しないようにする邪魔板が設けられている。これにより、作業者が電動リベッターを種々の向きに傾けたとしても、収容ケース内に一旦落下した心棒がスリットへ逆流しようとすることを、邪魔板によって遮ることができる。
それ故、上記電動リベッターにおいては、切断後の心棒を、逆流を防止して収容ケースに収容することができる。
【図面の簡単な説明】
【００１０】
【図１】実施例にかかる、電動リベッターを示す全体図。
【図２】実施例にかかる、リベットを鋼板に打ち付ける前の状態の電動リベッターを簡略的に示す断面説明図。
【図３】実施例にかかる、リベットを鋼板に打ち付けた状態の電動リベッターを簡略的に示す断面説明図。
【図４】実施例にかかる、電動リベッターを、図２におけるＡ−Ａ線矢視によって示す断面説明図。
【図５】実施例にかかる、リベットを示す説明図。
【発明を実施するための形態】
【００１１】
上述した電動リベッターにおける好ましい実施の形態につき説明する。
上記電動リベッターにおいては、上記収容ケース内には、上記邪魔板の配置によって、上記スリットに連通される排出通路と、該排出通路よりも容積が拡大した収容部とが形成されており、上記排出通路には、上記スリットから上記収容部への上記心棒の降下を可能にする一方、上記収容部から上記スリットへの上記心棒の逆流を不能にする逆流防止弁が設けられていてもよい（請求項２）。
この場合には、排出通路に設けられた逆流防止弁によって、収容部からスリットへ、切断された心棒が逆流してしまうことを防止することができる。
【００１２】
また、上記収容ケースは、上記切断された心棒を外部へ廃棄するために、上記本体部に対して着脱可能であってもよい（請求項３）。
この場合には、電動リベッターから収容ケースを取り外したときには、収容ケース内に収容された複数の切断された心棒を外部へ廃棄することができる。
【実施例】
【００１３】
以下に、上記電動リベッターにかかる実施例につき、図面を参照して説明する。
本例の電動リベッター１は、図５に示すごとく、フランジ８１２を有するリング形状のリベット本体８１の中心穴８１３に、頭部８２２を有する心棒８２が挿入された状態のリベット８を、互いに重なる複数の対象物の貫通穴７１に打ち付けるよう構成されている。
電動リベッター１は、図１に示すごとく、電動モーター３が配置された本体部２と、本体部２に対して回転可能に配設された主軸４と、主軸４よりも下方に設けられ、切断された心棒８２を収容する収容ケース５とを備えている。
図２〜図４に示すごとく、主軸４は、リベット８における心棒８２が挿入される挿入穴４１を有し、電動モーター３による回転を受けて挿入穴４１にリベット８を引き込んで心棒８２を切断するための部位である。本体部２には、切断された心棒８２を、挿入穴４１から収容ケース５内へ導くスリット４２が形成されている。収容ケース５内には、切断された心棒８２が、スリット４２へ逆流しないようにする邪魔板５１が設けられている。
【００１４】
以下に、本例の電動リベッター１につき、図１〜図５を参照して詳説する。
本例の電動リベッター１は、作業者による手動動作によって電動でリベット８の打ち込みを行うものである。
図５に示すごとく、リベット８によって接合を行う対象物は、２枚の鋼板７であり、２枚の鋼板７には、互いに合わさる面において、互いに連通する位置に貫通穴７１が形成されている。同図においては、心棒８２が切断された状態のリベット８を実線で示し、心棒８２が切断される前のリベット８の初期状態を二点鎖線で示す。
リベット８は、リベット本体８１と心棒８２とを組み合わせて、２枚の鋼板７を接合するものである。リベット本体８１は、円筒部８１１の一端部にフランジ８１２を有しており、心棒８２は、軸部８２１の一端部に、拡径した頭部８２２を有している。
【００１５】
リベット８の打ち込みを行う際には、２枚の鋼板７の貫通穴７１に、心棒８２が配置されたリベット本体８１を挿入配置する。そして、電動リベッター１によって心棒８２の軸部８２１を引き込み、頭部８２２がリベット本体８１の円筒部８１１を拡径させるように変形させることにより、フランジ８１２と円筒部８１１の拡径部分８１４との間に２枚の鋼板７を挟持することができる。また、電動リベッター１が心棒８２の軸部８２１を引き込む際に、この軸部８２１が切断（破断）され、切断された心棒８２が電動リベッター１の収容ケース５内に収容される。
【００１６】
図１、図２に示すごとく、電動リベッター１の本体部２は、電動モーター３、電動モーター３の動力を主軸４に伝える動力伝達部（図示略）、及び心棒８２を引き込む主軸４等を収容するよう構成されている。主軸４は、本体部２に形成されたヘッドケース２１内に回転可能に支持されており、電動モーター３の動力を受けて動作する複数の部品によって、心棒８２を把持して引き込むよう構成されている。また、本体部２には、作業者が把持するための把持部２２が形成されている。
【００１７】
図２に示すごとく、主軸４は、把持穴４３１内に心棒８２を把持するジョー４３、ジョー４３に対する後方側に同心状に配置され、把持穴４３１に連通する中心穴４４１を有するスクリュー４４、ジョー４３を内部に保持するガイド４５、ジョー４３、スクリュー４４及びガイド４５を先端側へ付勢するスプリング４６、電動モーター３の動力を受けてスクリュー４４を引き込むナット４７等の部品によって構成されている。
本例の主軸４の挿入穴４１は、ジョー４３の把持穴４３１及びスクリュー４４の中心穴４４１によって構成されている。本例のスリット４２は、スクリュー４４の下方に設けられている。
【００１８】
そして、図３に示すごとく、ジョー４３に心棒８２を挿入して電動モーター３を動作させるときには、電動モーター３の動力を受けたナット４７によってスクリュー４４が回転しながら、本体部２の後方側へ引き込まれる。そして、ジョー４３及びガイド４５がスプリング４６の付勢力に逆らって、スクリュー４４とともに引き込まれ、ジョー４３に把持された心棒８２を引き込んで切断することができる。また、切断された心棒８２は、本体部２内において、スクリュー４４の後方に設けられたスリット４２から収容ケース５へ落下する。
【００１９】
図３に示すごとく、収容ケース５内には、邪魔板５１の配置によって、スリット４２及び挿入穴４１に連通される排出通路５３と、排出通路５３よりも容積が拡大した収容部５２とが形成されている。
邪魔板５１は、収容ケース５内において主軸４の軸方向に沿って設けられており、スリット４２の下方開口部４２１を含む左右方向の一方側に上下方向に伸びる排出通路５３を形成している。排出通路５３は、スリット４２が形成された左右方向の中心位置から、収容ケース５の一方の側方へ向けて形成されている。排出通路５３は、邪魔板５１に設けた傾斜面によって、心棒８２の流下をガイドするよう形成されている。
【００２０】
また、排出通路５３には、スリット４２から収容部５２への心棒８２の降下を可能にする一方、収容部５２からスリット４２への心棒８２の逆流を不能にする逆流防止弁５４が設けられている。逆流防止弁５４は、排出通路５３の開閉ができるように形成されている。
逆流防止弁５４は、上端部に回動軸５４１を有し、この回動軸５４１の回りに回動自在で、自然状態において自重で垂下する板部材によって形成されている。逆流防止弁５４は、スリット４２から降下する心棒８２が当接（衝突）することによって一方向である左右方向の外側へ回動することができる。これにより、スリット４２から降下する心棒８２は、排出通路５３を経由して収容部５２へ円滑に導くことができる。
【００２１】
一方、逆流防止弁５４は、排出通路５３の下端出口部から心棒８２が当接するときには、自重によって垂下していることにより、他方向である左右方向の内側へは回動することができない。これにより、収容部５２に収容された心棒８２が、スリット４２へ逆流してしまうことを防止でき、スリット４２から収容ケース５内への心棒８２の排出を円滑に継続することができる。
また、逆流防止弁５４は、弱いバネ等によって排出通路３を閉じる側へ付勢しておくこともできる。
【００２２】
また、同図に示すごとく、収容ケース５は、切断された心棒８２を外部へ廃棄するために、本体部２に対して着脱可能である。収容ケース５の上部には、本体部２に着脱するために弾性変形可能な係合爪５５が形成されている。収容ケース５は、係合爪５５によって本体部２に取り付けられる。本体部２から収容ケース５を取り外したときには、収容ケース５内に収容された複数の切断された心棒８２を外部へ廃棄することができる。
【００２３】
本例の電動リベッター１は、切断された心棒８２を収容ケース５内に収容するよう構成されており、収容ケース５内に入った心棒８２が主軸４側へ逆流しない工夫をしている。
具体的には、本体部２には、切断された心棒８２を挿入穴４１から収容ケース５内へ導くスリット４２が形成されている。これにより、リベット８を対象物に打ち付けたときには、切断された心棒８２がスリット４２から収容ケース５内に落下する。そして、切断された心棒８２を収容ケース５内に保持することができる。
【００２４】
また、収容ケース５内には、切断された心棒８２がスリット４２へ逆流しないようにする邪魔板５１及び逆流防止弁５４が設けられている。これにより、作業者が電動リベッター１を種々の向きに傾けたとしても、収容ケース５内に一旦落下した心棒８２がスリット４２へ逆流しようとすることを、邪魔板５１及び逆流防止弁５４によって遮ることができる。
それ故、本例の電動リベッター１においては、切断後の心棒８２を、逆流を防止して収容ケース５に収容することができる。
【符号の説明】
【００２５】
１  電動リベッター
２  本体部
４  主軸
４１  挿入穴
４２  スリット
５  収容ケース
５１  邪魔板
５２  収容部
５３  排出通路
５４  逆流防止弁
５５  係合爪
７  鋼板
８  リベット
８１  リベット本体
８２  心棒
【図１】
2014030834.tif 000003
【図２】
2014030834.tif 000004
【図３】
2014030834.tif 000005
【図４】
2014030834.tif 000006
【図５】
2014030834.tif 000007